(57)【要約】【課題】不正開封防止封緘リング付キャップを注出口具に螺着する口栓で、キャップが不正開封されたのちに再封止されても、不正開封されたことが外観から一目瞭然に、一般の消費者にも、認知することができる不正開封防止封緘リング付口栓を提供する。【解決手段】液体用紙容器の注出位置に突設された注出口具とその注出口具に螺着する不正開封防止封緘リング付キャップとからなり、不正開封防止封緘リング付キャップが、キャップ本体の周壁下端の一箇所に四角な開封認知用舌状片を垂設し、開封認知用舌状片の右側の下端に、強化脆弱ブリッジを介して、開封認知用舌状片の左側に間隙をもって近傍位置に至る不正開封防止封緘リングを接続し、且つ、不正開封防止封緘リングの上面の周方向の複数箇所を、強化脆弱ブリッジより弱い脆弱ブリッジを介して、キャップ本体の周壁の下面に接続する。【選択図】図１
2006131232.tif 000002
【特許請求の範囲】
【請求項１】
液体用紙容器の注出位置に突設された注出口具とその注出口具に螺着する不正開封防止封緘リング付キャップとからなり、不正開封防止封緘リング付キャップが、キャップ本体の周壁下端の一箇所に四角な開封認知用舌状片を垂設し、開封認知用舌状片の右側の下端に、強化脆弱ブリッジを介して、開封認知用舌状片の左側に間隙をもって近傍位置に至る不正開封防止封緘リングを接続し、且つ、不正開封防止封緘リングの上面の周方向の複数箇所を、強化脆弱ブリッジより弱い脆弱ブリッジを介して、キャップ本体の周壁の下面に接続することを特徴とする不正開封防止封緘リング付口栓。
【請求項２】
注出口具の注出筒の雄ネジの下方に係止リングを設け、不正開封防止封緘リングの内周面に注出口具の係止リングに係合する係止フラップを設けることを特徴とする請求項１記載の不正開封防止封緘リング付口栓。
【請求項３】
注出口具の注出筒の雄ネジの下方に係止ラチェットを設け、不正開封防止封緘リングの内周面に注出口具の係止ラチェットに係合する係止ラチェットを設けることを特徴とする請求項１記載の不正開封防止封緘リング付口栓。
【発明の詳細な説明】
【技術分野】
【０００１】
本発明は、食品や非食品の液体内容物を収納する液体用紙容器の注出位置に突設する口栓であり、注出口具（スパウト）に不正開封防止封緘リング付キャップが螺着する不正開封防止封緘リング付口栓に関するものである。
【背景技術】
【０００２】
従来、流通過程や店頭での液体内容物を収納する容器の不正開封を防止するため、不正開封されたことが、明確に認知可能なキャップとして、容器の注出口部に螺着する不正開封防止封緘リング付キャップが使用されていた。この不正開封防止封緘リング付キャップは、キャップ本体の周壁下端に破断可能な複数個の脆弱ブリッジで内周面に係止フラップ又は係止ラチェットを設けた不正開封防止封緘リングを接続するものであり、容器を開封するために、キャップ本体を螺脱方向へ回転すると、不正開封防止封緘リングの係止フラップ又は係止ラチェットと容器の注出口部の雄ネジ下方に設けられている係止リング又はラチェットとの係合作用により、脆弱ブリッジが破断されて、キャップ本体と不正開封防止封緘リングとが分離し、容器の注出口部に不正開封防止封緘リングが残るものであった。このキャップ本体と不正開封防止封緘リングとの分離は、キャップ本体で容器の注出口部を再封止しても、外観から認知することができことから、流通過程や店頭での容器の不正開封の防止策として役にたつものであった。ところで、最近、使用後の容器を廃棄処理するときに、材質ごとに分別回収するようになってきた。容器とキャップとが材質が異なる場合には、容器の注出口部に残った不正開封防止封緘リングを、注出口部から取り外す必要があった。この対策として多くの発明や考案がなされており、例えば、特許文献１に記載されているキャップのＴＥバンド（タンパーエビデントバンド）（本願発明においては不正開封防止封緘リング）には、容器の注出口部に残ったＴＥバンドを取り外すことができるように、ＴＥバンドに上向き開口の縦のスリットとこのスリット下端に設けられる細いブリッジとからなる破断許容手段が形成されており、また、特許文献２に記載されているキャップのピルファ−プルーフバンド（本願発明においては不正開封防止封緘リング）には、縦のスコア（切り込み線）とこのスコアの下端の破断し得る残留部とからなる破断手段が形成されおり、そして、このピルファ−プルーフバンドは、キャップの開封と同時に破断され、キャップ本体を螺脱したのちに、容器の注出口部から取り外すことができるものであった。また、キャップ本体と不正開封防止封緘リングを接続する複数個の脆弱ブリッジをうち、一箇所の脆弱ブリッジを他のブリッジより強くした強化脆弱ブリッジにして、容器を開封するために、キャップ本体を螺脱方向へ回転すると、不正開封防止封緘リングの係止フラップ又は係止ラチェットと容器の注出口部の雄ネジ下方に設けられている係止リング又はラチェットとの係合作用により、強化脆弱ブリッジ以外の脆弱ブリッジが破断されて、封緘リングが強化脆弱ブリッジで接続したままキャップ本体にぶら下がった状態で、容器の注出口部から封緘リングが分離するものもあった。このキャップ本体にぶら下がった封緘リングは、指で掴んで引っ張ると、強化脆弱ブリッジを破断されてキャップ本体から分離するものであった。
【特許文献１】特開２００３−５４５９７号公報
【特許文献２】特開２００２−３２６６５４号公報
【発明の開示】
【発明が解決しようとする課題】
【０００３】
しかしながら、上述した従来の不正開封防止封緘リング付キャップは、いずれのキャップも、開封したのちに、封緘リングを容器の注出口部又はキャップ本体から分離して、そ
のまま、キャップを容器の注出口部に螺着して再封止すると、容器の注出口部に、通常のキャップが螺着されていたのか、または、不正開封防止封緘リング付キャップが螺着されていたのか、一般の消費者には判別することが難しく、したがって、一般の消費者には、容器が不正開封されたものか、または、不正開封されなかったものか、判断することが出来なかった。
【０００４】
本発明は、上述の従来の不正開封防止封緘リング付キャップの問題点を解決したものであり、不正開封防止封緘リング付キャップを注出口具に螺着する口栓で、キャップが不正開封されたのちに再封止されても、不正開封されたことが外観から一目瞭然に、一般の消費者にも、認知できる不正開封防止封緘リング付口栓を提供するものである。
【課題を解決するための手段】
【０００５】
すなわち、本発明の第１の発明は、液体用紙容器の注出位置に突設された注出口具とその注出口具に螺着する不正開封防止封緘リング付キャップとからなり、不正開封防止封緘リング付キャップが、キャップ本体の周壁下端の一箇所に四角な開封認知用舌状片を垂設し、開封認知用舌状片の右側の下端に、強化脆弱ブリッジを介して、開封認知用舌状片の左側に間隙をもって近傍位置に至る不正開封防止封緘リングを接続し、且つ、不正開封防止封緘リングの上面の周方向の複数箇所を、強化脆弱ブリッジより弱い脆弱ブリッジを介して、キャップ本体の周壁の下面に接続することを特徴とする不正開封防止封緘リング付口栓である。
【０００６】
次に、本発明の第２の発明は、注出口具の注出筒の雄ネジの下方に係止リングを設け、不正開封防止封緘リングの内周面に注出口具の係止リングに係合する係止フラップを設けることを特徴とする第１の発明に記載の不正開封防止封緘リング付口栓である。
【０００７】
そして、本発明の第３の発明は、注出口具の注出筒の雄ネジの下方に係止ラチェットを設け、不正開封防止封緘リングの内周面に注出口具の係止ラチェットに係合する係止ラチェットを設けることを特徴とする第１の発明に記載の不正開封防止封緘リング付口栓である。
【発明の効果】
【０００８】
本発明の不正開封防止封緘リング付口栓を注出位置に突設する液体用紙容器は、開封するために、キャップ本体を螺脱方向へ回転すると、注出口具の注出筒の雄ネジの下方に設けられている係止リング又は係止ラチェットと不正開封防止封緘リングの内周面に設けられている係止フラップ又は係止ラチェットとの係合作用により、周壁の下面と不正開封防止封緘リングの上面とを周方向へ複数箇所で接続する脆弱ブリッジが破断される。この状態のキャップ本体を、注出口具に螺着して容器を再封止すると、キャップ本体に不正開封防止封緘リングが付いていても、脆弱ブリッジが破断されていることから、容器が既に開封されたことを認知することができる。さらに、注出口具から不正開封防止封緘リング付のキャップ本体を取り外し、キャップ本体の周壁下端に垂設する開封認知用舌状片の右側下端に、強化脆弱ブリッジを介して接続する不正開封防止封緘リングを、指で掴んで引っ張って、強化脆弱ブリッジを破断して封緘リングをキャップ本体から取り外したのち、キャップ本体を注出口具に螺着して容器を再封止すると、図４に示すように、開封認知用舌状片（１２１）の両側に不正開封防止封緘リングがないことから、容器が既に開封されたことを一目瞭然に認知することができる。
【発明を実施するための最良の形態】
【０００９】
次に、本発明の不正開封防止封緘リング付口栓の一実施形態について、図を用いて詳細に説明する。
【００１０】
図１は、本実施形態の不正開封防止封緘リング付口栓の正面図であり、図２（ａ）は、本実施形態の不正開封防止封緘リング付キャップの正面図であり、図２（ｂ）は、その底面図である。図３は、注出口具からキャップを螺脱したときのキャップ本体の周壁下面から破断分離した不正開封防止封緘リングが、キャップ本体の開封認知用舌状片の右側下端に、強化脆弱ブリッジで繋がっている状態を示す説明図であり、図４は、強化脆弱ブリッジを破断してキャップ本体から不正開封防止封緘リングを分離したのち、キャップ本体を注出口具に螺着して再封したときの状態を示す説明図である。
【００１１】
本実施形態の不正開封防止封緘リング付口栓（１０）は、図１に示すように、注出口具（３００）に不正開封防止封緘リング付キャップ（２０）を螺着させたものである。この口栓は、例えば、角柱状の切り妻屋根形液体用紙容器（３０）の頂部傾斜板の口栓取付孔（３１）に注出口具（３００）の環状台座部（３１０）と注出筒（３２０）を突出させて、注出口具のフランジ（３３０）の上面を容器内面に熱融着させて取り付けるものである。不正開封防止封緘リング付キャップは、脆弱部が破断可能なポリエチレンなどの熱可塑性樹脂を用いて、射出成形法により作製するものである。注出口部も、用途に適合するポリエチレンなどの熱可塑性樹脂を用いて、射出成形法により作製するものである。
【００１２】
本実施形態の不正開封防止封緘リング付キャップ（２０）の構造は、図２（ａ）に示すように、キャップ本体（１００）の周壁（１２０）下端の一箇所に長方形状の開封認知用舌状片（１２１）を垂設し、この開封認知用舌状片の右側の下端に、細幅で薄肉の強化脆弱ブリッジ（１２３）を介して、開封認知用舌状片の左側に間隙（１２４）をもって近傍位置に至る不正開封防止封緘リング（２００）を接続し、この不正開封防止封緘リングの上面の周方向の複数箇所を、強化脆弱ブリッジより弱い細幅で薄肉の脆弱ブリッジ（１２２）を介して、キャップ本体の周壁の下面に接続するものである。なお、天板（１１０）の下面には、通常では、注出口具の注出筒を封止するインナー封止リングやコンタクト封止リングなどを垂設するものであり、周壁の外周面には、キャップをキャップピング機又は指で回転し易くするために、縦のローレット目を設け、内周面には、注出口具との雌ネジを設けるものである。また、不正開封防止封緘リングの内周面には、図２（ｂ）に示すように、周方向へ複数個の係止フラップ（２１０）を設けるものである。
【００１３】
次に、本実施形態の注出口具（３００）の構造は、図４に示すように、外周下端に容器の内面と上面を熱融着するためのフランジ（３３０）を設け、上端外周面に周方向等間隔に４個の仮止め突起（３１１）をもつ環状台座部（３１０）上に、外周面にキャップとの雄ネジとこの雄ネジの下方に不正開封防止封緘リングとの係止リングを設ける注出筒（３２０）を立設するものである。
【００１４】
本実施形態の不正開封防止封緘リング付口栓を注出位置に突設する液体用紙容器は、キャップ本体を螺脱方向へ回転すると、周壁の下面と不正開封防止封緘リングの上面とを周方向へ複数箇所で接続する脆弱ブリッジが破断され、さらにキャップ本体を螺脱方向へ回転して注出口具の注出筒から取り外すと、不正開封防止封緘リング（２００）は、図１に示すように、キャップ本体（１００）の開封認知用舌状片（１２１）の左側には間隙（１２４）があり接続していないため、図３に示すように、開封認知用舌状片（１２１）の右側の下端の強化脆弱ブリッジ（１２３）で接続した状態でキャップ本体（１００）と共に外れて来る。この不正開封防止封緘リングは、指で掴んで引っ張ると、開封認知用舌状片の右側の下端の強化脆弱ブリッジが破断されてキャップ本体から分離する。そして、容器を再封止するときは、図４に示すように、キャップ本体（１００）のみを注出口具（２００）の注出筒（３２０）に螺着するものである。
【図面の簡単な説明】
【００１５】
【図１】本発明の一実施形態の不正開封防止封緘リング付口栓の正面図である。
【図２】（ａ）は、本発明に係わる一実施形態の不正開封防止封緘リング付キャップの正面図であり、（ｂ）は、その底面図である。
【図３】図１の不正開封防止封緘リング付口栓の注出口具からキャップを螺脱したときのキャップ本体の周壁下面から破断分離した不正開封防止封緘リングが、キャップ本体の開封認知用舌状片の右側下端に、強化脆弱ブリッジで繋がっている状態を示す説明図である。
【図４】キャップ本体の開封認知用舌状片に強化脆弱ブリッジで繋がっている不正開封防止封緘リングを、強化脆弱ブリッジを破断してキャップ本体から分離したのち、キャップ本体を注出口具に螺着して再封したときの状態を示す説明図である。
【符号の説明】
【００１６】
１０……不正開封防止封緘リング付口栓
２０……不正開封防止封緘リング付キャップ
３０……液体用紙容器
３１……口栓取付孔
１００……キャップ本体
１１０……天板
１２０……周壁
１２１……開封認知用舌状片
１２２……脆弱ブリッジ
１２３……強化脆弱ブリッジ
１２４……間隙
２００……不正開封防止封緘リング
２１０……係止フラップ
３００……注出口具
３１０……環状台座部
３１１……仮止め突起
３２０……注出筒
３３０……フランジ
【図１】
2006131232.tif 000003
【図２】
2006131232.tif 000004
【図３】
2006131232.tif 000005
【図４】
2006131232.tif 000006